(57)【特許請求の範囲】
【請求項１】
注入器具において、
第１の軸線を定めるハウジングであって、放出ノズルを備えた注射器を受け入れるように構成されており、前記注射器は、前記放出ノズルが前記ハウジング内に収納される引っ込み位置と、前記放出ノズルが出口孔を通って前記ハウジングから延びる伸長位置との間で移動可能になっている、ハウジングと、
作用を受けて前記注射器に作用する駆動装置と、
トリガであって、前記トリガにより前記駆動装置を保持する休止位置から、稼働位置に回転可能であり、前記稼働位置においては、前記トリガが前記駆動装置を保持せず、前記注射器の内容物を前記放出ノズルから放出することが可能となる、トリガと、
を具備し、
前記トリガは、旋回可能に設けられており、
前記トリガは、使用者が前記第１の軸線に実質的に平行な方向に力を加えて、前記トリガを、前記トリガの休止位置から、前記トリガの稼働位置に回転させることができるように形作られた部分的に凹形状の第１の表面を有し、
前記トリガおよび前記ハウジングは、ハウジングを横切って前記トリガ上へ使用者の手を動かすことにより前記トリガを回転させる力が加えられるように構成されており、前記トリガの前記第１の表面の凹形状の部分は前記トリガの休止位置においては前記ハウジングの側面内に位置している、注入器具。
【請求項２】
請求項１記載の注入器具において、
前記第１の表面は、複数個の隆起部を備えている、注入器具。
【請求項３】
請求項１または２に記載の注入器具において、
前記ハウジングは、前記トリガと実質的に反対側にある第２の凹面を備え、使用者が、前記注入器具を掴むことができ、かつ前記第１の軸線に実質的に平行な方向で、前記トリガおよび前記第２の凹面に力を加えることができるようになっている、注入器具。
【請求項４】
請求項１〜３のいずれか１項に記載の注入器具において、
前記トリガと実質的に反対側の、前記ハウジングの表面の一部分は、複数個の隆起部を有する、注入器具。
【請求項５】
請求項３記載の注入器具において、
前記第２の凹面は、複数個の隆起部を備えている、注入器具。
【請求項６】
請求項１〜５のいずれか１項に記載の注入器具において、
前記ハウジングは、前記トリガに隣接して前記トリガと前記出口孔との間に配置された当接部を有する、注入器具。
【発明の詳細な説明】
【開示の内容】
【０００１】
〔発明の分野〕
本発明は、注射器を受け入れ、注射器を伸長させ、その内容物を放出させ、次に注射器を自動的に引っ込める形式の注入器具に関する。
【０００２】
〔発明の背景〕
従来公知の器具が、国際公開第９５／３５１２６号パンフレットおよび欧州特許出願公開第０５１６４７３号明細書に示されており、かかる注入器具は、駆動ばねおよび作動時に、解除可能なロック機構体もまた稼働されると、駆動ばねが注射器に作用するようにするトリガを採用する傾向がある。
【０００３】
一般に、トリガは、軸線回りに回転可能であり、従って、トリガの第１の端を押し下げると、第２の端（通常、駆動ばねに係合している）もまた回転し、それにより駆動ばねが解除され、注射器が伸長されてその内容物が放出されるようになっている。トリガは、一般に、注入器具の本体の長手方向軸線に平行に注入器具のハウジングの側部に設けられている。トリガは、トリガの一端をハウジングに向かう方向に押し下げることにより回転する。
【０００４】
かかる器具に関する問題は、トリガをハウジングの方へ押し下げる操作が、器具を片手で保持している場合には困難な場合があるということにある。これは、注入器具の病弱な使用者、例えばリウマチ様関節炎を患っている使用者にとって大きな問題を提起する。
【０００５】
〔発明の概要〕
本発明の注入器具は、上述の問題に取り組むように設計されている。
【０００６】
上記のことを考慮し、本発明の第一の態様によれば、注入器具において、
第１の軸線を定めるハウジングであって、放出ノズルを備えた注射器を受け入れるように構成されており、前記注射器は、前記放出ノズルが前記ハウジング内に収納される引っ込み位置と、前記放出ノズルが出口孔を通って前記ハウジングから延びる伸長位置との間で移動可能になっている、ハウジングと、
作用を受けて前記注射器に作用する駆動装置と、
トリガであって、前記トリガにより前記駆動装置を保持する休止位置から、稼働位置に回転可能であり、前記稼働位置においては、前記トリガが前記駆動装置を保持せず、前記注射器の内容物を前記放出ノズルから放出することが可能となる、トリガと、
を具備し、
前記トリガは、旋回可能に設けられており、
前記トリガは、使用者が前記第１の軸線に実質的に平行な方向に力を加えて、前記トリガを、前記トリガの休止位置から、前記トリガの稼働位置に回転させることができるように形作られた部分的に凹形状の第１の表面を有し、
前記トリガおよび前記ハウジングは、ハウジングを横切って前記トリガ上へ使用者の手を動かすことにより前記トリガを回転させる力が加えられるように構成されており、前記トリガの前記第１の表面の凹形状の部分は前記トリガの休止位置においては前記ハウジングの側面内に位置していることを特徴とする注入器具が提供される。
【０００７】
トリガが力を第１の軸線に実質的に平行な方向に加えることができるように作動させることにより、トリガは、ハウジングの側部内に押し込まれてこれを作動させる必要はない。このように、注入器具は、出口孔を使用者の身体に押し付けているときに手をハウジング沿いにトリガ上に下方に滑らせることにより片手で保持できると共に操作できる。
【０００８】
好ましくは、上述の表面は、第１の凹面である。
【０００９】
本発明の一実施形態では、かかる表面は、複数個の隆起部を備えている。
【００１０】
好ましくは、ハウジングは、トリガと実質的に反対側に第２の凹面を備え、使用者が、注入器具を掴むことができ、そして第２の軸線に実質的に平行な方向で力をトリガおよび第２の凹面に加えることができるようになっている。
【００１１】
本発明の一実施形態では、ハウジングは、トリガに隣接してトリガと出口孔との間に配置された当接部を有する。
【００１２】
本発明の一実施形態では、第２の凹面は、複数個の隆起部を備えている。
【００１３】
次に、添付の図面を参照して本発明を例示的に説明する。
【００１４】
〔図面の詳細な説明〕
図１〜図３は、本発明の第１の実施形態としての注入器具１１０を示している。注入器具１１０は、注入器具ハウジング１１２および長手方向軸線１０１を有している。
【００１５】
注射器（図示せず）が、ハウジング１１２内に収納されている。注入器具１１０は、トリガ１１４および解除可能なロック機構体１１６を有している。トリガ１１４は、第１の端１１４ａおよび第２の端１１４ｂを有している。トリガ１１４は、休止位置から稼働位置にピボット１１５回りに回転可能である。トリガ１１４の第２の端１１４ｂは、駆動継手１２１に連結され、この駆動継手は、駆動ばね１２０の作用を受ける。駆動継手１２１は、注射器と連絡状態にある。
【００１６】
トリガ１１４をピボット１１５回りに、方向Ｒ（即ち、その第１の端１１４ａのところでのハウジング１１２内への下向き）に回転させると、トリガ１１４の第２の端１１４ｂは、駆動継手１２１から離脱し、それにより駆動ばね１２０が注射器１２２（駆動継手１２１を介して）を長手方向軸線１０１に沿って駆動してこれをハウジング１１２に設けられている孔１１８から出すようにする。
【００１７】
解除可能なロック機構体１１６は、スライディングスリーブ１２６と連絡状態にあり、このスライディングスリーブは、第１の位置にあるとき、ハウジング１１２の孔１１８から突き出る。ロック機構体１１６は、スライディングスリーブ１２６を長手方向軸線１０１に沿って第２の位置までハウジング１１２内に移動させることにより非稼働状態になる。
【００１８】
スライディングスリーブ１２６の第１の端１２６ａを薬剤が投与される身体に押し付けるのが良く、それにより、解除可能なロック機構体１１６を非稼働状態にし、トリガ１１４がその休止位置からその稼働位置まで方向Ｒに回転することができる。
【００１９】
トリガ１１４は、注入器具１１０の長手方向軸線１０１に対して角度をなした表面２０１の一部分（a section）が設けられるように形作られている。それ故、トリガ１１４の回転は、長手方向軸線に必ずしも垂直ではない方向に力を及ぼすことにより生じうる。このように、たとえ回転力をハウジング１１２の方へ内方に加えない場合でも、回転力を依然としてトリガ１１４に及ぼすことができる。
【００２０】
図１および図３に示す本発明の実施形態では、表面２０１は、凹状に形作られている。
【００２１】
注入器具１１０の使用者の手をハウジング１１２周りに掴んで注入器具１１０を使用者の体に押し付け、スライディングスリーブ１２６がロック機構体１１６を稼働解除させるようにしても良い。今や、トリガ１１４は、使用者の手がハウジング１１２を横切ってトリガ１１４上へ動かすことにより作動可能であり、従って、長手方向軸線１０１の方向に成分を有する力がトリガ１１４に加えられてトリガを回転させるようになっている。
【００２２】
ハウジング１１２は、ハウジング１１２の出口孔１１８の方のトリガ１１４の後ろに配置された隆起部２１０（または当接部）を更に有している。隆起部は、トリガ１１４をいったん作動させると、使用者の手がハウジング１１２沿いに更に下に動くのを阻止する停止面としての役目を果たす。このように、注入器具１１０は、トリガ１１４の作動後、注射器の内容物が使用者の体内に送り出されている状態で、使用者の体にしっかりと当てて保持できる。
【００２３】
ハウジング１１２は、トリガ１１４と実質的に反対側に位置する第２の凹面２０２を有している。かくして、使用者の手は、トリガ１１４をいったん作動させると、ハウジング１１２沿いに更に下方に動くのが阻止される。
【００２４】
表面２０１と、トリガ１１４と反対側のハウジングの表面の一部分との両方は、使用者の手のための握りとして役立つ隆起部２０４を有している。
【００２５】
当然のことながら、本発明を純粋に例示として上述しているに過ぎず、細部の設計変更を本発明の範囲内で行なうことができるということは理解されよう。
【００２６】
〔実施の態様〕
（１）注入器具において、
第１の軸線を定めるハウジングであって、放出ノズルを備えた注射器を受け入れるように構成されており、前記注射器は、前記放出ノズルが前記ハウジング内に収納される引っ込み位置と、前記放出ノズルが出口孔を通って前記ハウジングから延びる伸長位置との間で移動可能になっている、ハウジングと、
作用を受けて前記注射器に作用する駆動装置と、
トリガであって、前記トリガにより前記駆動装置を保持する休止位置から前記トリガが前記駆動装置をそのように保持することがもはやない稼働位置に回転可能であり、このようにして、前記注射器の内容物を前記放出ノズルから放出することができる、トリガと、
を具備し、
前記トリガは、旋回可能に設けられており、
前記トリガは、使用者が前記第１の軸線に実質的に平行な方向に力を加えて、前記トリガを、前記トリガの休止位置から前記トリガの稼働位置に回転させることができるように形作られた表面を有する、注入器具。
（２）実施態様（１）記載の注入器具において、
前記表面は、第１の凹面である、注入器具。
（３）実施態様（１）または（２）記載の注入器具において、
前記表面は、複数個の隆起部を備えている、注入器具。
（４）実施態様（１）〜（３）のうちいずれか1に記載の注入器具において、
前記ハウジングは、前記トリガと実質的に反対側にある第２の凹面を備え、使用者が、前記注入器具を掴むことができ、かつ前記第１の軸線に実質的に平行な方向で、前記トリガおよび前記第２の凹面に力を加えることができるようになっている、注入器具。
（５）実施態様（４）記載の注入器具において、
前記第２の凹面は、複数個の隆起部を備えている、注入器具。
（６）実施態様（１）〜（５）のうちいずれか1に記載の注入器具において、
前記トリガと実質的に反対側の、前記ハウジングの前記表面の一部分は、複数個の隆起部を有する、注入器具。
（７）実施態様（１）〜（６）のうちいずれか1に記載の注入器具において、
前記ハウジングは、前記トリガに隣接して前記トリガと前記出口孔との間に配置された当接部を有する、注入器具。
（８）注入器具において、
実質的に添付の図面を参照して本明細書において説明すると共に、添付の図面に示した、注入器具。
【図面の簡単な説明】
【００２７】
【図１】本発明の注入器具の斜視図である。
【図２】本発明の注入器具の代替の斜視図である。
【図３】注入器具のハウジングの上方部分を取り外した状態の図１および図２の注入器具の側面図である。
【図１】
0005384097.tif 000002
【図２】
0005384097.tif 000003
【図３】
0005384097.tif 000004